(57)【要約】【課題】  点検動作を中断することなく新たな点検対象の子局を追加することができ、利便性を向上させることができる無線通信システムを提供する。【解決手段】  親局Ａ及び子局Ｂ〜Ｄの無線機が、予め複数の登録番号と遅延時間とを対応付けた遅延時間テーブルを記憶しておき、親局Ａが、子局Ｄから識別番号を含む登録要求信号を受信した場合には、当該登録要求信号に含まれる識別番号に前記テーブルに記憶されている登録番号を１対１に対応付けて記憶し、当該子局Ｄを点検対象とすると共に、要求元の子局Ｄ宛に当該登録番号を含む応答信号を送信し、子局Ｄが、登録要求信号の送信後、親局Ａから応答信号を受信すると、テーブルを参照して、当該応答信号に含まれる登録番号に対応する遅延時間ＤDを読み取って自己の応答遅延時間とし、点検信号ｑを受信した場合には当該応答遅延時間ＤD経過後に応答信号を送信する無線通信システムとしている。【選択図】        図４
2011109363.tif 000002
【特許請求の範囲】
【請求項１】
点検対象として登録された子局無線機に点検信号を送信する親局無線機と、前記点検信号を受信すると、特定の応答遅延時間経過後に自己の識別番号を含む応答信号を返信する子局無線機とを有し、
前記親局無線機が、定期的に前記点検信号を送信して前記子局無線機からの点検応答信号を受信したか否かに基づいて各子局無線機の通信状態を監視する無線通信システムであって、
前記親局無線機と前記子局無線機が、複数の登録番号と遅延時間とを１対１に対応付けたテーブルを、各々、親局用の遅延時間テーブル、子局用の遅延時間テーブルとして予め記憶しておき、
前記親局無線機が、子局無線機から、新たに点検対象として登録することを要求する登録要求信号を受信すると、前記登録要求信号に含まれる識別番号と前記親局用遅延時間テーブルに記憶された登録番号の一つを１対１に対応付けて記憶すると共に、前記要求元の子局無線機宛に前記対応付けられた登録番号を含む応答信号を送信し、
前記子局無線機が、前記登録要求信号を送信した後前記応答信号を受信すると、前記子局用遅延時間テーブルを参照して、前記応答信号に含まれる登録番号に対応付けられた遅延時間を読み取り、前記点検信号を受信した場合には、当該遅延時間経過後に前記点検応答信号を送信することを特徴とする無線通信システム。
【発明の詳細な説明】
【技術分野】
【０００１】
本発明は、プレストーク方式の単一周波数搬送波無線機を使用し、親局と子局との間で定期的に点検信号の送受信を行う無線通信システムに係り、特に、新規参入の子局を点検対象として容易に登録することができ、利便性を向上させることができる無線通信システムに関する。
【背景技術】
【０００２】
［先行技術の説明］
無線通信システムでは、送信側と受信側の少なくとも一方の位置が変化するため、電波伝搬状況が刻々と変化する。
そこで、従来、通信可能な状態を確認しながら使用することができる無線通信システムがある。
このような無線通信システムとしては、例えば、親局と複数の子局とでグループを構成し、親局が定期的に子局に対して点検信号を送信し、子局が一定時間内に応答を送信することにより通信可能状態にあることを確認するものがあった。
【０００３】
［無線機の構成：図８］
まず、従来の無線通信システムで用いられる無線機の構成について図８を用いて説明する。図８は、従来の無線通信システムで用いられる無線機の概略構成ブロック図である。
図８に示すように、親局又は子局として用いられる無線機は、送受信部１０と、制御部１１′と、メモリ１２′と、表示部１３と、スピーカ１４と、アンテナ１５とを備えている。
【０００４】
送受信部１０は、送信機と受信機とを含み、通常のプレストーク方式のトランシーバとして動作するようになっており、更に、制御部１１′の制御に基づいて通信状態を相互に点検する点検機能を備えている。
【０００５】
制御部１１′は、マイコン等の処理部を含み、メモリ１２′に記憶されているプログラムを起動して送受信部１０の制御や、表示部１３への表示制御、スピーカ１４への出力制御等を行う。
メモリ１２′は、制御部１１′で起動されるプログラムを記憶すると共に、必要な各種データを記憶している。特に、メモリ１２′には、各無線機が属するグループのグループ番号と、無線機の識別番号と、各無線機に固有の応答遅延時間とが記憶されている。
【０００６】
［無線通信システムにおける通信状態の確認の概要：図９］
従来の無線通信システムにおける通信状態の確認動作について図９を用いて説明する。図９は、無線通信システムにおける通信状態の確認動作を示す模式説明図である。
図９に示す例では、親局Ａと、子局Ｂと、子局Ｃとでグループを構成している。
親局は、グループ内の全ての子局の識別番号と、その内の点検対象となる子局の識別番号とを記憶している。図９の例では、親局Ａは、グループ内の全ての子局である子局Ｂ及び子局Ｃを点検対象としている。
【０００７】
そして、図９（ａ）に示すように、親局Ａは、定期的に点検対象の子局に対して点検信号ｑを送信する。つまり、親局Ａは、一定周期で定期的にグループ番号と点検対象の子局の識別番号を付した点検信号ｑを送信する。
【０００８】
子局Ｂ，Ｃは、図９（ｂ）に示すように、親局Ａからの点検信号ｑを受信すると、グループ番号と宛先の識別番号が、内部に記憶されているものと一致するかどうかを判断し、一致する場合に、自己宛として認識して親局Ａに応答信号を送信する。ここで、子局Ｂ，Ｃは、点検信号ｑの受信後、記憶された応答遅延時間だけ経過してから応答信号（点検応答信号）を親局Ａに送信する。応答信号には、グループ番号と自己の識別番号を含む。
【０００９】
また、図９（ｃ）に示すように、例えば、子局Ｃが親局Ａから離れすぎたり、大きな建物の影になったりした場合には、点検信号ｑは子局Ｃに受信されず、子局Ｃは応答信号を送信しない。
【００１０】
そして、親局Ａでは、子局からの応答信号の有無を監視して、各子局の通信状態を確認するようになっている。
また、子局では、点検信号ｑの受信後、一定時間が経過しても次の点検信号ｑを受信しなかった場合に、通信不能状態であると判断するようになっている。
【００１１】
［従来の無線通信システムにおける点検動作：図１０］
上記従来の無線通信システムにおける点検動作について図１０を用いて具体的に説明する。図１０は、従来の無線通信システムにおける点検動作のタイミングを示す模式説明図である。ここでは、図９に示したグループにおける親局Ａと子局Ｂとの間での点検動作を例として説明する。
図１０に示すように、親局Ａ（図では「親局無線機Ａ」）は、予め決められたグループ番号を内部の記憶部に設定し（Ｓ１１）、グループ番号に対応して当該グループに属する全ての子局の識別番号を登録する。更に、親局Ａは、点検対象となる子局Ｂ，Ｃの識別番号を登録する（Ｓ１２）。尚、図では子局Ｃは省略している。
【００１２】
同様に、子局Ｂ（子局無線機Ｂ）は、予め決められた固有の識別番号と、グループ番号と、応答遅延時間ＤBを設定する（Ｓ２１）。
そして、子局Ｂは、受信待ち受け状態となる（Ｓ２２）。
【００１３】
親局Ａは、周期Ｔ毎に点検信号ｑを送信する（Ｓ１３）。点検信号には、グループ番号と、点検対象として登録されている子局の識別番号を含む。
【００１４】
子局Ｂは、点検信号を受信すると、点検信号に含まれるグループ番号と識別番号を読み取り、内部に記憶しているグループ番号と識別番号に一致するかどうかを判断し、一致する場合には、正常であることを報知する報知音を出力する（Ｓ２３（ＯＫ時））。
【００１５】
また、子局Ｂは、点検信号に含まれるグループ番号と識別番号が、内部に記憶しているグループ番号と識別番号に一致しない場合、又は点検信号受信後、一定時間経過しても次の応答信号を受信しない場合には、エラーであることを示す警報音を出力し、エラー表示を行ってオペレータに報知する（Ｓ２３（ＮＧ時））。
【００１６】
そして、子局Ｂは、Ｓ２３で点検信号を正常に受信した場合、応答遅延時間ＤB経過後に、自己の識別番号を含む応答信号ａBを送信し（Ｓ２４）、待ち受け状態に戻る。
【００１７】
親局Ａは、子局Ｂからの応答信号ａBを受信すると、グループ番号と識別番号をチェックし、識別番号に対応する子局Ｂが通信可能状態にあることを表示し、報知音を出力してオペレータに報知する。更に、親局Ａは、次の点検信号の送信タイミングまでに全ての点検対象の子局からの応答信号を受信した場合には、報知音を出力して正常であることを報知する（Ｓ１４（ＯＫ時））。そして、親局Ａは、Ｓ１３に戻って次の送信タイミングで点検信号ｑを送信する。
【００１８】
また、親局Ａは、次の点検信号ｑの送信タイミングになっても、応答信号を受信しない子局があった場合、当該子局の識別番号と当該子局が通信不能状態であることを表示し、警報音を出力する（Ｓ１４（ＮＧ時））。そして、親局Ａは、定期的に点検信号ｑの送信を続ける（Ｓ１３）。
【００１９】
これにより、例えば、巡回作業中などで、知らない内に親局と子局が離れてしまって通信できなくなってしまった場合には、直ちにそのことが親局と子局の双方に警告されるので、長時間にわたって音声通話を行わなくても、常に通信可能状態にあるか否かを確認することができるものである。
【００２０】
［点検信号と応答信号の送信タイミング：図１１］
次に、点検信号と応答信号の送信タイミングについて図１１を用いて説明する。図１１は、無線通信システムにおける点検信号と応答信号のタイミングを示す模式説明図である。
図１１に示すように、親局Ａは、点検周期Ｔで点検信号ｑを送信する。子局Ｂは、点検信号ｑを受信すると、内部のメモリに予め記憶されている遅延時間ＤBだけ遅れて応答信号ａBを送信する。
同様に、子局Ｃは、点検信号ｑを受信すると、内部に予め記憶されている遅延時間ＤCだけ遅れて応答信号ａCを送信する。
【００２１】
遅延時間は、複数の子局が一斉に応答信号を送信して親局において衝突が発生するのを防ぐために、各子局の送信タイミングをずらすものであり、システム運用前に、予めグループ内の各子局に設定されるものである。
【００２２】
［点検に途中参入する場合］
ところで、従来の無線通信システムでは、グループ番号と応答遅延時間が設定されていても、点検対象として登録されていない子局（子局Ｄとする）は、点検信号ｑを受信しても、宛先の識別番号に自己の識別番号が含まれないため、警報音を鳴音してエラー表示することになり、点検信号に対する応答信号を出力することはできない。
【００２３】
そこで、従来の無線通信システムでは、当該子局Ｄのオペレータが、親局Ａに対して音声通話を行い、親局Ａでは、一旦通常の点検動作を中断して、親局Ａのオペレータが子局Ｄを点検対象として登録する登録操作を行うようになっていた。
【００２４】
尚、無線通信システムに関する技術としては、特開平８−２６５２０７号公報「無線通信システム」（出願人：日立電子株式会社、特許文献１）がある。
特許文献１には、上述したように、親局からの点検信号と子局からの応答信号を用いて、通信可能な状態であるかどうかを定期的にチェックする無線通信システムが記載されている。
【先行技術文献】
【特許文献】
【００２５】
【特許文献１】特開平８−２６５２０７号公報
【発明の概要】
【発明が解決しようとする課題】
【００２６】
しかしながら、従来の無線通信システムでは、運用中に点検対象の子局を増やす場合には、親局は一旦点検動作を中止してオペレータによる登録作業を行わなければならず、不便であるという問題点があった。
【００２７】
本発明は、上記実状に鑑みて為されたもので、点検動作を中断することなく新たな点検対象の子局を追加することができ、利便性を向上させることができる無線通信システムを提供することを目的とする。
【課題を解決するための手段】
【００２８】
上記従来例の問題点を解決するための本発明は、点検対象として登録された子局無線機に点検信号を送信する親局無線機と、点検信号を受信すると、特定の応答遅延時間経過後に自己の識別番号を含む応答信号を返信する子局無線機とを有し、親局無線機が、定期的に点検信号を送信して子局無線機からの点検応答信号を受信したか否かに基づいて各子局無線機の通信状態を監視する無線通信システムであって、親局無線機と子局無線機が、複数の登録番号と遅延時間とを１対１に対応付けたテーブルを、各々、親局用の遅延時間テーブル、子局用の遅延時間テーブルとして予め記憶しておき、親局無線機が、子局無線機から、新たに点検対象として登録することを要求する登録要求信号を受信すると、登録要求信号に含まれる識別番号と親局用遅延時間テーブルに記憶された登録番号の一つを１対１に対応付けて記憶すると共に、要求元の子局無線機宛に対応付けられた登録番号を含む応答信号を送信し、子局無線機が、登録要求信号を送信した後、応答信号を受信すると、子局用遅延時間テーブルを参照して、応答信号に含まれる登録番号に対応付けられた遅延時間を読み取り、点検信号を受信した場合には、当該遅延時間経過後に点検応答信号を送信することを特徴としている。
【発明の効果】
【００２９】
本発明によれば、点検対象として登録された子局無線機に点検信号を送信する親局無線機と、点検信号を受信すると、特定の応答遅延時間経過後に自己の識別番号を含む応答信号を返信する子局無線機とを有し、親局無線機が、定期的に点検信号を送信して子局無線機からの点検応答信号を受信したか否かに基づいて各子局無線機の通信状態を監視する無線通信システムであって、親局無線機と子局無線機が、複数の登録番号と遅延時間とを１対１に対応付けたテーブルを、各々、親局用の遅延時間テーブル、子局用の遅延時間テーブルとして予め記憶しておき、親局無線機が、子局無線機から、新たに点検対象として登録することを要求する登録要求信号を受信すると、登録要求信号に含まれる識別番号と親局用遅延時間テーブルに記憶された登録番号の一つを１対１に対応付けて記憶すると共に、要求元の子局無線機宛に対応付けられた登録番号を含む応答信号を送信し、子局無線機が、登録要求信号を送信した後、応答信号を受信すると、子局用遅延時間テーブルを参照して、応答信号に含まれる登録番号に対応付けられた遅延時間を読み取り、点検信号を受信した場合には、当該遅延時間経過後に点検応答信号を送信する無線通信システムとしているので、親局無線機において、随時子局無線機からの登録要求信号を受け付けて、点検動作を中断することなく新たに子局無線機を点検対象として登録することができ、システムメンテナンスを容易にし、利便性を向上させることができる効果がある。
【図面の簡単な説明】
【００３０】
【図１】本発明の実施の形態に係る無線通信システムにおいて親局又は子局として用いられる無線機（本無線機）の構成ブロック図である。
【図２】遅延時間テーブルの模式説明図である。
【図３】点検登録テーブルの模式説明図である。
【図４】本システムにおける登録要求信号と点検信号のタイミングを示す模式説明図である。
【図５】親局の点検処理を示すフローチャートである。
【図６】親局の登録処理を示すフローチャートである。
【図７】子局の登録処理を示すフローチャートである。
【図８】従来の無線通信システムで用いられる無線機の概略構成ブロック図である。
【図９】無線通信システムにおける通信状態の確認動作を示す模式説明図である。
【図１０】従来の無線通信システムにおける点検動作のタイミングを示す模式説明図である。
【図１１】無線通信システムにおける点検信号と応答信号のタイミングを示す模式説明図である。
【発明を実施するための形態】
【００３１】
［実施の形態の概要］
本発明の実施の形態について図面を参照しながら説明する。
本発明の実施の形態に係る無線通信システムは、親局及び子局の無線機が、予め複数の登録番号と遅延時間とを対応付けた遅延時間テーブルを記憶しておき、親局が、子局から識別番号を含む登録要求信号を受信した場合には、当該登録要求信号に含まれる識別番号に前記テーブルに記憶されている登録番号を１対１に対応付けて記憶し、当該子局を点検対象とすると共に、要求元の子局宛に当該登録番号を含む応答信号を送信し、子局が、登録要求信号の送信後、親局から応答信号を受信すると、テーブルを参照して、当該応答信号に含まれる登録番号に対応する遅延時間を読み取って、自己の応答遅延時間として設定するものであり、システム運用前に全ての子局に応答遅延時間を設定する作業を不要とし、また、点検動作を中断することなく、新たに点検対象の子局を登録することができ、利便性を向上させることができるものである。
【００３２】
［実施の形態に係る無線機の構成：図１］
図１は、本発明の実施の形態に係る無線通信システムにおいて親局又は子局として用いられる無線機（本無線機）の構成ブロック図である。
図１に示すように、本無線機の構成は、図に示した従来の無線機と基本的な構成は同じであり、送受信部１０、制御部１１、メモリ１２、表示部１３、スピーカ１４、アンテナ１５を備えている。
但し、メモリ１２に、登録番号と遅延時間とを対応付けた遅延時間テーブルを備えており、また、制御部１１の動作が従来とは一部異なっている。
【００３３】
本システムの特徴として、各無線機は、子局が親局に対して新たに点検対象として登録するよう要求する登録要求信号のフォーマットを記憶しており、親局は、点検信号に対する応答信号と同様に、子局からの登録要求信号を待ち受け、登録要求信号を受信すると、当該子局を点検対象として登録する登録処理を行うようになっている。登録処理については後で説明する。
【００３４】
［遅延時間テーブル：図２］
次に、メモリ１２に記憶されている遅延時間テーブルについて図２を用いて説明する。図２は、遅延時間テーブルの模式説明図である。
遅延時間テーブルは、本システムの特徴部分であり、図２に示すように、複数の登録番号について、遅延時間を１対１に対応付けて記憶しているものであり、本無線通信システムでは、同一グループ内の全ての無線機には同一の遅延時間テーブルが記憶されている。尚、請求項においては、親局無線機に記憶されている遅延時間テーブルを「親局用遅延時間テーブル」、子局無線機に記憶されている遅延時間テーブルを「子局用遅延時間テーブル」として記載している。
そして、新たに点検対象として登録された子局は、親局から通知された登録番号に対応する遅延時間を、点検信号に対する応答遅延時間として設定するようにしている。
【００３５】
［点検登録テーブル：図３］
次に、親局のメモリ１２に記憶されている点検登録テーブルについて図３を用いて説明する。図３は、点検登録テーブルの模式説明図である。
点検登録テーブルは、図３に示すように、親局において、登録番号と、点検対象となる子局の識別番号とを１対１に対応付けて記憶するものである。一つのグループ内では複数の子局に同一の登録番号が付与されることはない。
【００３６】
点検登録テーブルに記憶されている識別番号の子局が点検対象の子局となり、グループ内の全ての子局を点検対象として登録することも可能である。
ここで、点検登録テーブルに記憶されている登録番号は、図２の遅延時間テーブルに記憶されている登録番号と同一のものであり、点検登録テーブルの代わりに、図２に示した遅延時間テーブルに、更に子局の識別番号を対応付けて記憶して、親局用遅延時間テーブルとしてもよい。
つまり、点検登録テーブルに登録された子局は、登録番号を付与され、当該登録番号を介して遅延時間テーブルにおける遅延時間に対応付けられるので、それぞれ固有の応答遅延時間を割り当てられるようになっている。
【００３７】
［登録要求信号］
登録要求信号は、子局から親局に対して、点検対象として登録することを要求する信号であり、随時送信可能な信号である。
登録要求信号は、グループ番号と、要求元の子局の識別番号とを含むものであり、親局が自己のグループ番号に一致するグループ番号を含む登録要求信号を受信すると、登録処理を行う。他の子局は登録要求信号を受信しても処理を行わない。
【００３８】
［本システムにおける登録要求信号と点検信号のタイミング：図４］
次に、本システムにおける点検対象となる子局の登録要求信号と点検信号及びそれらに対する応答信号のタイミングについて図４を用いて説明する。図４は、本システムにおける登録要求信号と点検信号のタイミングを示す模式説明図である。
ここでは、無線機Ａ〜Ｄが同一グループであり、無線機Ａが親局、他は子局として動作するものとしている。
また、各無線機Ａ〜Ｄには、遅延時間テーブルが記憶されている。
【００３９】
そして、本システムでは、親局Ａは、システム運用開始後、子局からの登録要求信号を待ち受けて、登録要求信号を受信した子局を点検対象として随時登録するようにしている。
【００４０】
具体的には、図４に示すように、親局Ａは、システム運用開始後（電源投入後）、子局から随時送信される登録要求信号を待ち受ける。登録要求信号の待ち受け時間は、任意に設定可能であるが、ここでは点検周期Ｔと同じ時間にしている。登録期間では親局Ａは点検信号の送信等の点検処理は行わない。
【００４１】
システム起動後、子局Ｂが、登録要求信号ＲBを送信し、親局Ａがこれを受信すると、親局Ａは、登録処理として、登録要求信号ＲBに含まれる識別番号に基づいて、子局Ｂからの登録要求であると判定し、点検登録テーブルを参照して、子局Ｂに、他の子局に割り当てられていない登録番号を付与し、子局Ｂの識別番号と登録番号とを１対１に対応付けて点検登録テーブルに記憶する。
そして、親局Ａは、グループ番号と、子局Ｂの識別番号と、付与された登録番号とを含む応答信号ａAを子局Ｂに送信する。
【００４２】
子局Ｂは、親局Ａからの応答信号ａAを受信すると、子局の登録処理として、応答信号に含まれる登録番号を読み取り、内部に記憶されている遅延時間テーブルを参照して、登録番号に対応する遅延時間を特定し、点検信号に対する自己の応答遅延時間としてメモリ１２に設定する。
【００４３】
同様に、親局Ａは、子局Ｃから登録要求信号ＲCを受信すると、点検登録テーブルを参照して、子局Ｃに未使用の登録番号を割り当てて点検登録テーブルに記憶し、グループ番号と、子局Ｃの識別番号と、登録番号を含む応答信号ａAを子局Ｃ宛に送信する。
子局Ｃは、応答信号ａAを受信すると、遅延時間テーブルを参照して、受信した登録番号に対応する遅延時間を読み取って自己の応答遅延時間として設定する。
【００４４】
そして、所定の登録期間が終了すると、親局Ａは、点検処理を開始して、点検信号ｑを送信する。点検動作は従来と同様であり、親局Ａは、グループ番号と点検対象の子局識別番号とを含む点検信号ｑを定期的に送信し、子局Ｂ，Ｃは、点検信号ｑを受信すると、それぞれ、登録処理において設定された応答遅延時間の経過後に、応答信号を送信する。尚、点検信号に対する応答信号は、請求項における「点検応答信号」に相当している。
【００４５】
そして、本システムの特徴として、子局Ｄが新たに点検対象として登録を要求する場合、オペレータの指示等により、子局Ｄがグループ番号と自己の識別番号とを含む登録要求信号を送信する。
本システムでは、親局Ａは、点検処理を行っている期間でも随時登録要求信号を受信して登録処理を行うものであり、図４の例では、点検処理を行っている際に、子局Ｄから登録要求信号ＲDを受信すると、親局Ａは、点検登録テーブルを参照して他の子局が割り当てられていない登録番号を子局Ｄに付与して点検登録テーブルに記憶し、登録番号を含む応答信号ａAを送信する。これにより、子局Ｄが点検対象として登録される。
【００４６】
子局Ｄは、遅延時間テーブルを参照して、受信した登録番号に対応する遅延時間ＤDを読み取って自己の応答遅延時間として設定する。これにより、子局Ｄは、点検信号ｑを受信すると応答遅延時間ＤD経過後に点検応答信号を送信するものである。
【００４７】
このように、本システムでは、親局が、点検処理を行っていても随時登録要求を受け付けて、点検対象として登録を行うことができ、点検動作を中断することなく、また、親局のオペレータの手を煩わせることなく登録を行うことができるものである。
【００４８】
［親局の点検処理：図５］
次に、本システムにおける親局の点検処理について図５を用いて説明する。図５は、親局の点検処理を示すフローチャートである。
図５に示すように、親局の制御部１１（以下、単に「親局」と記載）は、システム起動時の登録期間の終了後、点検処理を開始し、点検信号の送信タイミングであるか同かをチェックし（１００）、送信タイミングであれば（Yesの場合）、点検信号を送信する（１０２）。
【００４９】
そして、親局は、応答信号（点検応答信号）を待ち受け、受信すると（１０４）、識別番号に基づいて子局を特定し、当該子局の通信状態が正常である旨を示す報知音を出力し、表示する。
親局は、点検登録テーブルを参照して、全ての点検対象の子局から応答信号を受信したかどうかを判断し（１０６）、全て受信した場合（Yesの場合）には、正常を示す報知音を出力し（１１０）、処理１００に移行して次の送信タイミングを待ち受ける。
【００５０】
また、処理１０６で、まだ全ての点検対象から応答信号を受信していない場合（Noの場合）には、親局は、次の点検信号の送信タイミングになったかどうかを判断し（１１２）、まだ次の送信タイミングになっていない場合（Noの場合）には、処理１０４に移行して、子局からの応答信号を待ち受ける。
【００５１】
処理１１２で、次の送信タイミングになった場合（Yesの場合）には、点検周期中に応答信号が得られない子局があったということであり、当該子局を表示すると共に、通信状態が異常であることを示す警報音を出力してオペレータに報知し（１１４）、処理１０２に移行して次の点検信号を送信する。
このようにして親局の点検処理が行われるものである。
【００５２】
［親局の登録処理：図６］
次に、本システムの特徴部分である親局の登録処理について図６を用いて説明する。図６は、親局の登録処理を示すフローチャートである。
図６に示すように、親局は、常時、子局からの登録要求信号を待ち受けており（２００）、登録要求信号を受信すると、当該登録要求信号に含まれるグループ番号が自己のものと一致するかを判断し、一致した場合に（Yesの場合）、当該登録要求信号に含まれる子局の識別番号を読み取り、点検登録テーブルを参照して他の子局に対応付けられていない登録番号の一つを当該子局に割り当てて、識別番号と登録番号とを１対１に対応付けて点検登録テーブルに記憶する（２０２）。これにより、要求元の子局は点検対象として登録される。
【００５３】
そして、親局は、割り当てた登録番号を含む応答信号を、要求元の子局の識別番号を宛先として送信する（２０４）。
このようにして、親局の登録処理が行われるものである。
【００５４】
［子局の登録処理：図７］
次に、本システムにおける子局の登録処理について図７を用いて説明する。図７は、子局の登録処理を示すフローチャートである。
図７に示すように、子局の制御部１１は、新規登録を要求する場合に、オペレータの指示等に基づいて、グループ番号と自己の識別番号とを含む登録要求信号を送信し（３００）、親局からの応答信号を待ち受ける（３０２）。
【００５５】
応答信号を受信すると（Yesの場合）、子局の制御部１１は、応答信号に含まれる登録番号を読み取り、メモリ１２に記憶されている遅延時間テーブルを参照して、当該登録番号に対応する遅延時間を特定し、当該遅延時間を点検信号に対する自己の応答遅延時間としてメモリ１２に設定する（３０４）。
このようにして本システムにおける子局の登録処理が行われるものである。
【００５６】
［実施の形態の効果］
本発明の実施の形態に係る無線通信システムによれば、親局及び子局が登録番号と遅延時間とを１対１に対応付けた遅延時間テーブルを備え、親局が、遅延時間テーブルに記憶されている登録番号に、点検対象の子局の識別番号を１対１に対応付けて記憶する点検対象テーブルを備え、任意の子局から当該子局の識別番号を含む登録要求を受信すると、点検登録テーブルを参照して、まだ子局に対応付けられていない登録番号の一つを、要求元の子局の登録番号として割り当て、当該登録番号と子局の識別番号とを対応付けて点検登録テーブルに記憶して、要求元の子局宛に割り当てた登録番号を含む応答信号を送信し、子局が、登録要求信号送信後、親局から応答信号を受信すると、当該応答信号に含まれる登録番号を読み取って、遅延時間テーブルを参照して、登録番号に対応する遅延時間を点検信号に対する応答信号の応答遅延時間として設定するようにしているので、親局では、点検動作を中断することなく、新たに点検対象の子局を登録することができ、利便性を向上させることができる効果がある。
【００５７】
また、本システムによれば、システム運用開始時に、親局が、各子局からの登録要求信号を受け付ける登録期間を設け、登録期間終了後に点検期間に移行して点検信号を送信するようにしているので、点検対象として登録を希望する子局は、登録期間の間に登録要求信号を送信すれば、親局からの応答信号によって他の子局と重複することなく固有の応答遅延時間を設定して、点検期間に移行した後は、設定された応答遅延時間を用いて点検処理を行うことができ、予め全ての子機に点検信号に対する応答遅延時間を設定しておく手間を不要とし、システムメンテナンスを容易にし、利便性を向上させることができる効果がある。
【産業上の利用可能性】
【００５８】
本発明は、点検動作を中断することなく、新規参入の子局を点検対象として容易に登録することができ、利便性を向上させることができる無線通信システムに適している。
【符号の説明】
【００５９】
１０…送受信部、  １１…制御部、  １２…メモリ、  １３…表示部、  １４…スピーカ、  １５…アンテナ
【図１】
2011109363.tif 000003
【図２】
2011109363.tif 000004
【図３】
2011109363.tif 000005
【図４】
2011109363.tif 000006
【図５】
2011109363.tif 000007
【図６】
2011109363.tif 000008
【図７】
2011109363.tif 000009
【図８】
2011109363.tif 000010
【図９】
2011109363.tif 000011
【図１０】
2011109363.tif 000012
【図１１】
2011109363.tif 000013